(57)【要約】ユーザーがケース付き移動体デバイスを、ユーザーへ、表面へ、又は構造へ、接着剤の使用無しに物理的に接続する又は繋ぐことを可能にさせる移動体デバイス接続装置、方法、及びシステムが開示されている。移動体デバイス接続装置は、携帯電話の様な移動体デバイスのための接続点を作り出す材料の複数層を備えており、装置は、ケース付きデバイスに適合し、再使用可能であり、堅牢であり、移動体デバイスが傷つけられる、紛失される、又は盗まれることを防止する。また、移動体デバイス接続装置はユーザーが自分の電話機と新しいやり方で関わり合うことを可能にさせる。【選択図】図４
2019519961.tif 000002
【特許請求の範囲】
【請求項１】
第１層及び第２層を備える幾何学形状へ構成されている折られた第１材料であって、前記第１層は、上表面と、下表面と、下縁と、を備え、前記第２層は、前記第１層の下方に配置されていて、上表面と、下表面と、下縁と、を備えている、折られた第１材料と、
前記第１層と前記第２層の間に配置されていて、前記第１層及び前記第２層の下縁の中心から延びる接続点を作成するように構成されている強度増加材料と、
第３層を備える幾何学形状へ構成されていて前記第２層の下に配置されている第２材料であって、前記第１層の前記下表面は第１の接着剤によって前記強度増加材料へそしてまた前記第２層の前記上表面へ接着されており、前記第２層の前記下表面は第２の接着剤によって前記第３層の上表面へ接着されている、第２材料と、
を備えている取り外し可能な移動体デバイス接続装置。
【請求項２】
前記装置は厚さ１．０１６ｍｍ以下である、請求項１に記載の取り外し可能な移動体デバイス接続装置。
【請求項３】
前記接続点はループである、請求項１に記載の取り外し可能な移動体デバイス接続装置。
【請求項４】
前記ループは１０ｍｍから１２ｍｍの間である、請求項３に記載の取り外し可能な移動体デバイス接続装置。
【請求項５】
前記第１材料は熱可塑性ポリマー樹脂からなる、請求項１に記載の取り外し可能な移動体デバイス接続装置。
【請求項６】
前記第１材料は高密度ポリエチレン繊維材料からなる、請求項１に記載の取り外し可能な移動体デバイス接続装置。
【請求項７】
前記第２材料はポリ塩化ビニルからなる、請求項１に記載の取り外し可能な移動体デバイス接続装置。
【請求項８】
前記強度増加材料は、ナイロン、ケブラー（Ｋｅｖｌａｒ）、又は炭素繊維フィラメントを備えている、請求項１に記載の取り外し可能な移動体デバイス接続装置。
【請求項９】
前記強度増加材料は、ウレタン被覆ナイロン４２０デニールを更に備えている、請求項８に記載の取り外し可能な移動体デバイス接続装置。
【請求項１０】
前記第１の接着剤及び前記第２の接着剤は、少なくとも１１１６ｇ／ｃｍの接着強さを有する永久アクリル系粘着テープである、請求項１に記載の取り外し可能な移動体デバイス接続装置。
【請求項１１】
前記第１層、前記第２層、及び前記第３層は、どれもみな、丸い角を有する四辺形である、請求項１に記載の取り外し可能な移動体デバイス接続装置。
【請求項１２】
移動体デバイスと共に使用するための移動体デバイス接続システムであって、
移動体デバイスケースと、
前記ケース内部に配置されている取り外し可能な非接着性移動体デバイス接続装置と、
前記移動体デバイス接続装置へ取り外し可能に付着されているユーザー接続ユニットと、
を備えているシステム。
【請求項１３】
前記ユーザー接続ユニットはリングである、請求項１２に記載の移動体デバイス接続システム。
【請求項１４】
前記移動体デバイスケースは、プラスチック、ゴム、シリコン、又は金属からなる、請求項１２に記載の移動体デバイス接続システム。
【請求項１５】
ケース付きの取り外し可能な移動体デバイスをユーザーへ、表面へ、又は構造へ物理的に固定する方法であって、接続点を有する取り外し可能な移動体デバイス接続装置を移動体デバイスケースの内部表面上へ、前記接続点が前記ケースの開口部を通って延びるように前記装置を前記ケースの開口部近くに中心合わせしながら設置する段階と、前記接続点が前記移動体デバイス及びケースから離れるように延び前記ケースの開口部を通って延びている状態で、前記取り外し可能な移動体デバイス接続装置が前記ケースの内部と前記移動体デバイスの背部表面の間に接着剤無しに固定的に構成されるように、前記移動体デバイスを前記ケースの中へ設置する段階と、固定材料を前記接続点へ付着させる段階と、を備えている方法。
【請求項１６】
前記移動体デバイスはｉＰｈｏｎｅ（登録商標）ブランドのスマートフォンである、請求項１５に記載の方法。
【発明の詳細な説明】
【技術分野】
【０００１】
（関連出願の相互参照）
２０１６年４月２２日出願の米国仮特許出願第６２／３２６，１５９号、及び２０１６年１０月２８日出願の米国仮特許出願第６２／４１４，２５７号。
【０００２】
本発明は概括的にはケース付移動体デバイスのための接続アクセサリに関する。
【背景技術】
【０００３】
携帯電話やスマートフォンの様な移動体デバイスは、通話から道案内や製品注文等々に及ぶ個人の日常活動を支援するために最も一般的にまた最も広く使用されているデバイスの１つである。携帯電話が個人に提供する機能性及び技術の高まりに伴い、それらの費用も高騰している。携帯電話が６００米ドル以上又はそれより高額につくことも珍しくない。移動体デバイスは、日常生活の諸状況の中で毎日使用されるせいで、多くの摩耗や剥げ傷を被りやすい。結果として、それらは、よく落とされたり、傷つけられたり、紛失されたり、盗まれたりする。また、移動体デバイスといえば、それらへの重大な損傷が建設現場では日常茶飯事である。これらの負の現実は、結果的に、新しい電話機の断続的な購入、データの喪失、そして多くの場合は個人への多大な不便を生じさせることになり、個人にかかる不要な出費は集合的に見て数十億ドル（米ドル）になる。
【０００４】
現在では、落とされ、傷つけられ、紛失され、及び盗まれる移動体デバイスに付きまとう問題を低減しようと試みる解決策は数多くある。これらの解決策の幾つかは、移動体デバイスを落下時に傷つけられることから防護しようと試みるべくケースを提供することを含んでいる。ケースは役立つが完全な解決策ではない。これらの単独のケースは問題を孕んでいる場合が多く、というのも、それらは落下デバイスを、異なる角度からの落下及びその様な落下から起こり得る異なる損傷の種類全てから防護するというわけにはいかないし、盗難を防がないし、紛失を防がないからである。更に、堅牢なケースはデバイスへの重くて煩わしい追加物でもあり高価でもある。更に、ケースは、電話機の１つの機種に特定されていて、大抵は様々なモデルに亘って適合するわけではない。別の解決策は、移動体デバイスへの保険を購入することであるが、往々にして免責金額だけでも数百ドル（米ドル）とされ、そのうえ個人は、失われた生産性の時間又は家族団らんの時間せいで、及び写真、ｅメール、連絡先、電話番号、メモの様な失われたデータのせいで、不便という問題に対処しなくてはならないのである。
【０００５】
様々な人気機種のケース付き移動体デバイスに適合し、再使用可能、堅牢、取り外し可能、そして安価であって、電話機が落とされる、傷つけられる、失われる、及び盗まれることを防止し得る解決策を持てれば望ましいであろう。また、ユーザーが自分の移動体デバイスを自分の体へ又は所有物へ接続することを可能にし得る装置を持てれば望ましいであろう。故に、業界には、目下、その様な解決策の必要性が存在している。
【先行技術文献】
【特許文献】
【０００６】
【特許文献１】米国仮特許出願第６２／３２６，１５９号
【特許文献２】米国仮特許出願第６２／４１４，２５７号
【発明の概要】
【０００７】
我々は、セルラー電話、携帯電話、スマートフォン（具体的には、少なくともｉＰｈｏｎｅ（登録商標）バージョン４、４Ｓ、５、５Ｓ、５ｃ、６、６Ｓ、６Ｐｌｕｓ、６Ｓ  Ｐｌｕｓ、ＳＥ、７、及び７Ｐｌｕｓ）又は移動体コンピューティングデバイスの様な移動体デバイスを対応するケース又はハウジング共々、ユーザーへ、表面へ、又は構造へ物理的に接続するために新たな発明を見出した。発明は、再使用可能であり、少なくともどのｉＰｈｏｎｅ（登録商標）ブランドの移動体デバイス及びそれの対応するケース又はハウジングにも適合し、ひいては、何よりもまず、移動体デバイスがユーザーによって落とされ地面に当たった場合の移動体デバイスへの損傷の可能性を低減する。発明は、更に、移動体デバイスをユーザーへ、表面へ、又は構造へ物理的に接続されたままにしておくことによって、移動体デバイス盗犯を思いとどまらせる働きをする。加えて、発明は、更に、ユーザーの失念に因る移動体デバイスの偶発的紛失を防ぐ。更に、移動体デバイスは特化されたケース無しでは表面へ又は構造へ引留させるのが難しいものであり、発明はその様な表面への又は構造への引留を、本発明と既存の移動体デバイス及び付属のケースだけを使用して可能にさせ、ユーザーが移動体デバイスと新しいやり方で関わり合えるようにする。例えば、濡れた又はぬかるんだ環境では移動体デバイスをフックに吊って地面から浮かせておく又はユーザーが地面より高いところで仕事しているなら移動体デバイスをユーザーへ接続したままにしておくのが望ましいこともある。また、移動体デバイスが大きいということもあり得るし、携行方法が小さい開口部を有しているか又は他の物品で乱雑になっていてデバイスの取り出しを困難で煩わしいものにしていることもあることから、発明は、ユーザーが、移動体デバイスそのものを実際に掴まなくても、移動体デバイスを、ズボンのポケットから、小物入れから、バッグから、又は他の携行方法から、簡単に、素早く、しかも安全に取り出せるようになる移動体デバイスのための「リース（leash：繋ぎひも）」又は「把手」として使用することもでき得る。また、個人が薄着であるかポケット無しの衣服を着用している場合は、デバイスを個人の首の周りに吊るのにネックランヤードが使用できるようになる。更に、引き込み式リールを発明と共に使用し、個人のズボンのベルト通しへ、ハーネスへ、又は他の類似の製品へ接続して、落とされたデバイスが地面に当たることから防護するように使用してもよく、そのうえデバイスが接続されたままの状態でも通話したりデバイスを覗いたりすることへの容易アクセスはなおも提供される。
【０００８】
ユーザーは移動体デバイスをどこにでも持ってゆき、仕事、通信、社交、及び娯楽について移動体デバイスに全面的に頼っている。多くの場合は比較的小型で落としやすいこれらの機種のデバイスは、非常に高価であり、しかもセットアップするのに時間を食う。よって、発明は、ユーザーの時間、金銭、ストレス、及び欲求不満を節減するのに役立つことができる。発明は、これらの述べられている恩恵を全て新規的なやり方で提供し、つまり、それは再使用可能であり、移動体デバイスのための別途特別に設計されたケース又はハウジング封包物の必要性無しに、移動体デバイスをユーザーへ、表面へ、又は構造へ物理的に付着させられるようにする、という新規的なやり方で提供する。
【０００９】
本発明の技術的利点は、少なくともｉＰｈｏｎｅ（登録商標）スマートフォンのバージョン４、４Ｓ、５、５Ｓ、５ｃ、６、６Ｓ、６Ｐｌｕｓ、６Ｓ  Ｐｌｕｓ、ＳＥ、７、及び７Ｐｌｕｓ及び対応するケースに対し、当該デバイスがケースに充電ケーブルの様な接続に適応するための開口部を有している限りにおいて、適合するということである。対応するケースは、プラスチック、ゴム、シリコン、又は金属の様な、移動体デバイスのケース組成物に普及している何れの材料であってもよい。
【００１０】
本発明の別の技術的利点は、発明を移動体デバイス又はケースへ付着させるのにステッカー、テープ、又は糊の様な接着剤を使用しないことである。
【００１１】
本発明の別の技術的利点は、それが再使用可能だということである。
【００１２】
別の技術的利点は、それが、移動体デバイス及びケースをユーザーへ、表面へ、又は構造へ確実に接続するために堅牢な物理的接続点を提供するということである。
【００１３】
本発明の別の技術的利点は、それが、ユーザーがケース付移動体デバイスを自分のポケットから、小物入れから、及びバッグから簡単に引き出せるようにすることである。
【００１４】
本発明の別の技術的利点は、それが、移動体デバイス又はケースへ永久的に接続しない又は付着しないということである。結果として、発明は、再利用可能であり、ユーザーの所望に応じ移動体デバイス及びケースへ素早く簡単に加えられるし又はそれから取り外して別の移動体デバイス及びケース又はハウジングへ移されることができ、移動体デバイス又はケースには跡が付くことも接着剤の堆積物が残ることもない。
【００１５】
本発明は以下に添付図面を参照しながらより詳しく説明されており、添付図面は、この発明の概要や詳細な説明、また具体的に論じられているか又はそれ以外のやり方で開示されている何れかの好適な及び／又は特定の実施形態、そのどちらとも関連付けて閲読されることを意図している。但し、この発明は、多くの異なる形態に具現化される余地があり、ここに示されている実施形態に限定されると考えられてはならず、むしろ、これらの実施形態は、単に例示として、またこの開示が綿密で完全なものとなり発明の完全な範囲を当業者に十二分に伝えることとなるように、提供されている。
【図面の簡単な説明】
【００１６】
【図１】本発明の或る実施形態の３／４図である。
【図２】本発明の或る実施形態の側面図である。
【図３】本発明の或る実施形態の分解等角投影図である。
【図３ａ】本発明の或る実施形態の平面図である。
【図４】システムとしての本発明の或る実施形態の分解等角投影図である。
【図５】システムとしての本発明の或る実施形態である。
【図６】システムとしての本発明の或る実施形態とユーザーである。
【図７】本発明の或る好適な実施形態の３／４図である。
【図８】本発明の或る好適な実施形態の側面図である。
【図９】本発明の或る好適な実施形態の分解等角投影図である。
【図１０】本発明の或る実施形態の分解等角投影図である。
【図１１】本発明の或る実施形態の部分分解３／４図である。
【図１２】本発明の或る実施形態の３／４図である。
【発明を実施するための形態】
【００１７】
移動体デバイス接続装置、方法、及びシステムを、これより、図１−図１２を参照して説明してゆく。図面を見ると、符号は幾つかの図を通して対応する要素を表しており、全体を符号１００で表されている移動体デバイス接続装置の或る実施形態を示す図１へまず注意を向けたい。装置１００は、丸い角と装置の下縁の中央から突き出る接続点又はループ１０２を有する正方形又は長方形の様な四辺形の形状をしているのが理想である。ループ１０２の各側には、装置１００の外周を周って尖った角の代わりに丸い角を最大化することによって、ループ１０２へ加えられる荷重からの追加の歪逃しを提供するために、ディボット１５０があってもよい。ディボットのサイズは、装置１００の底縁から測定して少なくとも長さ１．２７ｍｍ、幅１．２７ｍｍである。ディボット１５０は必須ではないが、この実施形態では追加の歪逃しを提供している。装置は、重層に構成されている少なくとも２つの材料からなる。装置は、移動体デバイスの背部とデバイスケース又はハウジングとの間に設置できるように、そしてケースが元々設計されている通りに機能を果たせるようデバイスをケースに適切に嵌められるように、十分に薄い。装置１００は、せいぜい厚さ１．０１６ｍｍであるが、所望に応じてそれより薄くすることもできるだろうし、又は稀な状況ではあるが、特定のデバイス及びケースが割増の装置厚さを許容するだけの余裕があるなら、より厚くすることもできるだろう。装置は、手短に論じられている様に様々な形状及びサイズであってもよいと構想される。
【００１８】
図２を見ると、装置１００の或る実施形態の側面図が示され、その組成が描かれている。装置１００は、第１層１１０、第２層１１２、及び第３層１１４を備えている。第１層１１０及び第２層１１２は、第１材料１１６で作られていて、単一片の材料である第１材料が二つ折りにされて、第１層１０、第２層１１２、及びループ１０２が形成されている。第１層１１０は上表面１１７を有し、第３層１１４は下表面１１９を有している。第１層１１０と第２層１１２の間には、或る長さの強度増加材料２００が封入されていて、それは折られてループ１０２を備える環又は開口部を作り出し、ループへそしてまた装置１００の全体構造へ強度を追加している。接続点又はループ１０２は、更に、開口部が無いように、即ち貫通形成された孔を有する単一の材料片として、構成されていてもよい。強度増加材料２００は、ナイロン、スパンデックス（Ｓｐａｎｄｅｘ）、高抗張力を有する繊維又はフィラメントであるデュポン（ＤｕＰｏｎｔ）（商標）社によるケブラー（Ｋｅｖｌａｒ）（登録商標）の様な合成材料又は繊維、或いは炭素繊維フィラメントの様な他の材料、を備えている。好適なナイロン材料はウレタン被覆ナイロン４２０デニールである。ケブラー（Ｋｅｖｌａｒ）（登録商標）又は炭素繊維が構想されている場合、３，０００、１２，０００、又は２４，０００のフィラメント番手の様な、繊維番手の何れの所望の量が使用されてもよい。高抗張力とは、材料が類似用途に使用される当技術で既知である他の材料よりも高い抗張力を有している、又は材料が高い抗張力を有していることが当技術で知られている、という意味である。強度増加材料２００の好適な厚さは０．２５４ｍｍであるが、装置１００全体が以上に定義されている１．０１６ｍｍ以下の厚さ指定を満たす限り、異なる厚さが使用されてもよいだろう。
【００１９】
第１層１１０及び第２層１１２の第１材料１１６は、可撓性、耐引裂性、耐せん断性、耐水性、及び薄肉である材料とされる。合成材料がこの使用には理想的であり、理想的とされる１つのその様な材料は、デュポン（ＤｕＰｏｎｔ）（商標）社による材料であるタイベック（Ｔｙｖｅｋ）（登録商標）又はケブラー（Ｋｅｖｌａｒ）（登録商標）の様な高密度ポリエチレン繊維材料を備えている。別の理想的な材料は、ＰＥＴＧ（ポリエチレンテレフタレート）の様な熱可塑性ポリマー樹脂を備えている。第１材料１１６の厚さは、０．３０５ｍｍ以下でなくてはならず、理想的な材料厚さは０．１２７ｍｍである。次に、第２材料１１８は第３層１１４を備えている。第３層１１４と第１層１１０は第２層１１２を挟んでおり、即ち第２層１１２のどちらかの側に配置されている。第２材料１１８は第１材料１１６とは異なっている。理想的には、第２材料１１８は、第２材料１１８と移動体デバイスの背部表面の間に一時的な接着又は「吸い付き（cling）」（吸着）の性質を提供するポリ塩化ビニルの様な合成プラスチックポリマーを備えている。吸い付き性又は吸着性は、第２材料１８に、大抵は滑らかであるデバイス背部表面へ取り外し可能に接着する能力を提供し、テープ又は糊の様な接着剤を用いて移動体デバイスへ接着させる必要はなく、それにより、装置１００がデバイスから取り外された場合に接着性材料の残留物がデバイス側に残ったりデバイスが台無しになったりするという様な問題は回避される。この類の材料の一般名称は「ウインドウ・クリング材料（window cling material）」又「クリングビニル（cling vinyl）」という。第２材料１１８は０．３０５ｍｍ以下の厚さを有することになろう。また、第２材料１１８の表面は、装置１００の正方形又は長方形の形状を越えてループ１０２の外部表面を覆うように途切れなく延びていてもよいが、第２材料１１８はループ１０２が装置１００の背部縁に起始するところで終わっているのが理想的であろう。第１材料１１６は、何れの色であってもよいし又は不透明であってもよいが、それは不透明で白か黒の色をしているのが理想的である。第２材料１１８も同じく何れの色であっても不透明であってもよいが、透明又は半透明であるのが理想的である。
【００２０】
第１層１１０、第２層１１２、及び第３層１１４は、ラミネーションのプロセスによって、接着性材料によって、又は両方の方法論の組合せによって、貼り合わされている。接着剤の場合には、接着剤は、少なくとも厚さ０．０２５４ｍｍのテープ形式の様な、層状に塗布される何れかの永久的又は半永久的接着剤であってもよい。層間の十分な接着を保証し、耐久性があり堅牢な装置を提供するには、理想的な接着剤は、少なくとも０．０７６１ｍｍの厚さを有し少なくとも１１１６ｇ／ｃｍ（１００ｏｚ／ｉｎ）の接着強さを有する両面永久アクリル系粘着テープ又はロールということになろう。また、本発明の全ての層を一体に接着させるのに同じ接着剤が使用されるなら製造にとっては最も効率的であるが、とはいえ、発明での異なる接着剤の使用は構想される。第１層１１０と第２層１１２は各自の接合面１２０で貼り合わされることができる。第２層１１２と第３層１１４は各自の接合面１２２で貼り合わされることができる。強度増加材料２００は、第１層１１０と第２層１１２の間に、ラミネーションのプロセスによって、接着性材料によって、又は上記組合せによって、封入される。接着性材料が使用される場合は、強度増加材料２００は、第１層１１０と第２層１１２を各自の接合面１２０を介して貼り合わせるための接着性材料を使用して接着される。
【００２１】
第１材料１１０及び強度増加材料２００は、ループ１０２へ接続される荷重の重量及び力を支持するための強度の他に多少の接着性（摩擦）も提供し、方や第２材料１１８は、手短に説明されている様に、装置１００を移動体デバイスの背部表面へ接着剤の必要性無しに接着させるように取り外し可能な接着性を提供する。ループ１０２は移動体デバイス及びケースへの物理的接続部を接続する又は繋ぐための手段を提供する。ループ１０２は、少なくとも０．９０７ｋｇの重さの重量が直接にループ１０２から少なくとも５分に亘って吊られたことからの失陥を食い止める強度を提供する。この下限値は、装置へ加えられそうな最小力荷重、つまり、ｉＰｈｏｎｅ（登録商標）の自重の少なくとも数倍に対応しており、ｉＰｈｏｎｅ（登録商標）のバージョン（４、４Ｓ、５、５Ｓ、５ｃ、６、６Ｓ、６Ｐｌｕｓ、６Ｓ  Ｐｌｕｓ、ＳＥ、７、及び７Ｐｌｕｓ）は（ケース無しで）何れの方向にも力が加えられていない状態で約１３８グラム以下までの重量がある。装置は、強度があって堅牢であるように設計されているが、非常時のユーザーによる破断を認めないほど強くはない。１つの例は、繋がれた移動体デバイス（装置によって繋がれている）が自動車の様な動いている機械に捕まえられるという状況であり、するとユーザーが機械へ引っ張り込まれる又は引きずられてゆくのを回避しようとして強引に装置を破断することは無理なのではないだろうか。
【００２２】
図３を参照すると、第１層１１０、第２層１１２、及び第３層１１４がどのように配列されているかを更に示すために、装置１００の或る実施形態の分解図が開示されている。また、強度増加材料２００は第１材料１１６の長さを延びていて、この実施形態では、せいぜいループ１０２の幅ほどである。強度増加材料２００は、所望に応じて第１材料１１６の長さより短い長さであってもよいが、ループ１０２へ強度を追加するためにはループ１０２を備えている第１材料１１６の部分を通って延びていることがまさに必要である。
【００２３】
次に図３ａを参照すると、強度増加材料２００がどのように位置決めされているかを更に示すために第１材料１１６の平面図が開示されている。強度増加材料２００は、強度増加材料２００が第１材料１１６及び第１層１１０と第２層１１２を付着するのに使用されている何らかの接着性材料の表面を一杯に包囲できるように「Ｖ字」形状程度に軽く角度を付けて位置決めされるのが理想的である。また、材料２００を僅かな角度を付けて設置することは、より薄型の完成形の装置１００を可能にし、所望のデバイス及びケースとの適合性のある嵌りを確約するものである。製造の容易さを期して所望に応じ、強度増加材料２００は第１材料１１６と平行に（第１材料の長さに沿って）位置決めされることもできるだろう。強度増加材料の幅は、ループ１０２の内側に収まるようにせいぜいループ１０２の幅以下である。強度増加材料の長さは、装置１００の長さ及び幅に依存するだろうが、強度増加材料２００の両面の表面区域の第１層１１０及び第２層１１２への十分な接着を確保するには少なくとも実質的に装置の１００の長さということになるだろう。
【００２４】
次に図４を参照すると、システム１３０としての装置１００の或る実施形態の分解等角投影図が示されている。システム１３０は、移動体デバイスケース又はハウジング１３４と、移動体デバイス接続装置１００と、ユーザー接続手段１２４と、を含んでいる。システム１３０は、移動体デバイス１３２と共に使用されることを意図している。装置１００はデバイス１３２とケース１３４の間に設置される。具体的には、デバイス１３２とケース１３４の接続時に、装置１００が移動体デバイス１３２の背部表面１３６とケース１３２の内表面１３５の間に設置される。更に、第１層１１０の上表面１１７がケース１３４の内表面１３５に面していて、上表面１１７とケースの内表面１３５が押し合わされると、結果として起こる上表面１１７とケースの内表面１３５の間の摩擦と、移動体デバイス１３２の背部表面１３６と下表面１１９の間の摩擦及び「吸い付き」又は吸着とが、ループ１０２へ荷重が掛かった場合に装置１００が動く（そしてついには失陥する）ことを防ぐよう支援する。所望に応じ（但し必須ではなく）、ケースの内表面１３５に宛がわれる前に下表面１１９へ水を一滴擦り付けておけば、表面同士のあいだの「吸い付き」又は吸着が高まるであろう。デバイス１３２の背部表面１３６はガラスか又は金属やプラスチックの様な他の滑らかな材料からなっていて、第２材料１１８は、装置１００を、糊、テープ、又は他の残留物が残ってしまう接着剤の様な接着剤の必要性無しにデバイス１３２へ取り外し可能に接着できるようにするために、割増分の摩擦及び「吸い付き」又は吸着を提供する手助けをする、というのが理想的である。装置１００は、デバイス１３２をケース又はハウジング１３４の中へ確実に嵌め込むための操作及び接続に干渉しないように十分に薄い。所望であれば、最初にケース１３４を取り外し、次いで装置１００を移動体デバイス１３２の背部表面１３６から上へ離れるように剥がすことによって、装置１００はデバイス１３２から簡単に取り外されることができる。同様に、装置１００は、移動体デバイス１３２へ再び宛がわれ、ケース１３４がデバイス１３２へ再接続されれば、装置１００はあたかも取り外されなかったかのように最初の場所にあったときと同じように動作する。装置１００の構造的強度に加え移動体デバイス１３２及びケース１３４へ確実に接着するというその能力は、装置１００がデバイス１３２及びケース１３４からずり落ちないように機能し、又は０．９０７ｋｇの荷重がループ１０２へ少なくとも５分間に亘って接続されてもループ１０２が失陥しないように機能する。よって、装置１００が、その様なデバイスを適切に支持し、更には移動体デバイスの重量の有意増加が起こった場合の増加分を又はユーザーによって接続点１０２へ加えられる「強い引っ張り」の様な道理的な方向性のある力を適切に支持するはずだということを確約するのに、その様な０．９０７ｋｇの荷重要件が使用されている。装置１００の表面積及び層の品質は、より重いデバイスについては本発明の荷重支承容量を増加させるべく増加されてもよいと構想される。重量に差のある現在最も人気のスマートフォンの幾つかはｉＰｈｏｎｅ（登録商標）６ｓ、ｉＰｈｏｎｅ（登録商標）Ｐｌｕｓ、Ｓａｍｓｕｎｇ  Ｇａｌａｘｙ（登録商標）Ｓ６ｅｄｇｅ＋、及びＳａｍｓｕｎｇ  Ｇａｌａｘｙ（登録商標）Ｎｏｔｅ５である。
【００２５】
また、装置１００のループ１０２は、デバイスを充電するため又はデバイスと通信するためのケーブル接続ポート１２６へ接続されるケーブルを受け入れるよう使用される移動体デバイスケースの小開口部に適応するために、１０ｍｍ以下の理想幅を有している。但し、ループ１０２の幅は、様々な接続ポート１２６の幅及び同じく対応するケース開口部に適応するために変えられてもよく、よってループ１０２の幅は１０ｍｍより小さいということもあれば１０ｍｍより大きいということもある。ループ１０２の長さは、装置１００を所望のユーザーへ又は表面へ接続するためのユーザー接続手段１２４に適応するうえで必要に応じて短くてもよいし長くてもよい。ループ１０２の理想長さは、ばらつきのある移動体デバイス及びケースのサイズ並びに構成に適応するために５ｍｍから１２ｍｍの間である。また、１０ｍｍ及び１２ｍｍのループ長さが理想的であり、というのも、それならＯｔｔｅｒｂｏｘ（登録商標）ブランドのケースの様な厚肉ケース壁を有するより頑丈なケースに適合するように又は防水ケースに適合するように十分に長く、但しユーザーにとっての不便さを又はループ１０２への外部からの摩耗を回避するうえで充分に短くもあるからだ。ユーザーが自分の移動体デバイス及びケースを直接掴む又は保持するための方途を作り出すといったような場合、ループ１０２をより長くすることも構想され、そうすればデバイス及びケースをポケット、小物入れ、バッグ、又は他の類似品目から引っ張り出すのがより簡単になるだろう。
【００２６】
ループは、更に、装置１００がデバイス１３２及びケース１３４へ付着されていながらもケーブルをケーブル接続ポート１２６へ差し込めるようにするために十分に可撓性であり十分に薄く、ケーブル接続に干渉しないようになっている。また、ループは、リング、フック、カラビナ、スナップの様な様々な接続手段に、及び、ストリング、コード、ワイヤ、又は同種物の様々な長さに、適応するように構成されるものと構想される。
【００２７】
装置１００の丸い角を有する正方形又は長方形の形状は、移動体デバイス１３２の幅とデバイス１３２の長さの１／２の長さであり、ループ１０２をデバイス１３２のケーブル接続ポート１３６と整列させるようにデバイスの底部近くに配置されているのが理想的である。例えば、ｉＰｈｏｎｅ（登録商標）５ｓデバイスは、幅６．３５ｃｍ×長さ１２．４ｃｍである。このデバイス向けには装置１００は幅６．３５ｃｍ×長さ６．２ｃｍということになる。但し、装置１００の長さは、移動体デバイスの幅の１／２程に小さい幅と移動体デバイスの長さの１／４の長さを有することができ、それでもなおループ１０２へ接続された０．９０７ｋｇの荷重を少なくとも５分間に亘って失陥すること無く保持することができる。装置１００のサイズは、より大きくてもよく、所望に応じ移動体デバイス全体と同じぐらいの長さと幅にすることもできるだろう。
【００２８】
ユーザー接続ユニット１２４は、金属又はプラスチックの様な剛性材料で作られていて、ループ１０２へ接続され、ユーザーへの、表面引留部への、又は構造引留部への更なる接続に適応しているのが理想的である。リングは、ループ１０２の幅の周りに嵌り０．９０７ｋｇの吊り下げ重量を少なくとも５分に亘って失陥することなく支持するのに十分な強度のある何れの所望のサイズ、組成、及び型式であってもよいが、外側リング直径は移動体デバイスポート１２６の幅以下であるのが理想的であり、そうすれば、充電ケーブル又は充電ポートプラグ（防水ケースの場合）のための十分なやや広めの開口部を有するケースにとって装置１００の装着がより簡単になる。また、好適なリングは、外側直径が１０ｍｍ、内側直径が８ｍｍで、１８ゲージのスプリットリング又は閉ループ金属ジャンプリングということになろう。また、構想されることとして、ユーザー接続ユニット１２４はリングである必要はなく、直接式に、対象物をユーザーへ物理的に接続する引き込み式のテザー、ストリング、チェーン、ランヤード、ブレスレット、リース、又は類似物の様な何れの接続型式又は引留型式であってもよく、ユーザーへベルト通しの様な自身の衣服を介して、小物入れへ、バッグへ、手首へ、首へ、又はユーザーによって所望されている他の接続点へ、縛られ、クリップされ、引っ掛けられ、又はそれ以外のやり方で締結されてもよい。ユーザー接続ユニット１２４は、更に、デバイス１３２を表面又は構造へ、吸着カップ、フック、ペグ、開口部、孔、又は所望の接続面又は構造に基づく他の適切な接続方法によるなどして、接続することもできるだろう。構造の一例は、テント、建物、住居、自動車、船、又はユーザーが移動体デバイスを接続したいと思う他の構造とすることができるだろう。また、ユーザー接続ユニット１２４は、ユーザー接続ユニット１２４を解放する及びユーザーへ再付着させるための素早くて簡単なやり方を可能にさせる、プラスチック又は金属のクリップ又は磁石を用いるなどの急速解放機構付きの様式とすることもできるだろう。加えて、ユーザー接続ユニット１２４は、図４に示されている様な具合に直列に接続された複数のユーザー接続ユニットを含むように組み合わされ、ループ１０２がユーザー接続ユニット（ここではリング）１２４へ接続され、それが更に別のユーザー接続ユニット１３８つまりこの事例ではストリング又はリースへ接続され、それが次いで更にユーザーへ接続される、というようになっていてもよい。
【００２９】
次に図５を参照して、本図は、ユーザーの腰へ接続する完成済み移動体デバイス接続システム１３０及びストラップ１３８の或る実施形態である。図６は、クリップ、フック、カラビナ、又はリングの様な何れかの普及している方法によってユーザー９７のズボンのベルト通し９６へ連結されている長めのバージョンのストラップ１３８を有するシステムの或る実施形態である。
【００３０】
次に図７、図８、及び図９を参照すると、装置１００の或る好適な実施形態が開示されている。図７は、好適な実施形態の３／４図を開示しており、図８は、以下に指摘されている相違点を別にすれば図２からの同じ要素及び説明を有する好適な実施形態の側面図を開示している。図８に示されている様に、第１材料１１６は二つ折りにされていて、以上に説明されている様に第１層１１０及び第２層１１２を備えているが、第１材料１１６は点３１０で折られて、ループ１０２を全体的に強度増加材料２００からなるように提供している。この実施形態は製造を更に簡単でより効率的なスケールにする。
【００３１】
図９を参照すると、装置１００の或る実施形態の分解図が開示されており、好適な実施形態を更に描いている。第１層１１０及び第２層１１２は、ループ１０２に運動のより大きい自由範囲を許容し製造中に強度増加材料２００を中心合わせすること及び強度増加材料２００をループ１０２へ構成してゆくことを首尾一貫させ効率化するのを支援するリリーフ要素３００を有していてもよい。強度増加材料２００は、長さ１０．１６ｃｍであって、ループ１０２を先に論じられている理由により１０−１２ｍｍの長さにさせるように構成されているのが理想的である。
【００３２】
次に図１０及び図１１を参照すると、装置１００の或る実施形態が開示されている。それはすでに説明されているのと同じ正方形又は長方形の形状であるが、別々になった第１層１１０と第２層１１２であって上述の合成材料、高密度ポリエチレン繊維材料、ＰＥＴＧ、又はクリングビニル材料の様な何れの望ましい材料で作られている第１層１１０と第２層１１２から全体的になっている。第１層１１０は層１１２と同じ材料であってもよいし又は異なる材料であってもよい。ループ１０２は全体的に強度増加材料２００で作られている。強度増加材料２００は、第１層１１０及び第２層１１２へ上述の接着剤によって接着され、当該接着剤は層同士を接続するのにも使用される。また、装置の形状は、貫通形成された少なくとも１つの孔又は開口部を含むこともできるだろうと構想される。貫通形成された孔又は開口部は、ループ１０２によって保持される０．９０７ｋｇという最小荷重要件が維持される限り何れの形状及びサイズとされてもよいだろう。装置を貫いて形成される孔又は切り抜きは、そうでなければデバイスの背部表面に配置された装置の伝統的な正方形又は長方形の形状によって覆われてしまうはずの統合型構成要素を有するデバイスにとっては望ましい。例えば、一部のデバイスは、デバイスの表面に配置されているスピーカー、マイクロフォン、又はカメラを有している。文字、幾何学形状、シンボル、又は会社のロゴの様な、他の形状も構想される。更なる実施形態は、長方形から円形形状に及ぶ装置形状の変更型を含んでいてもよい。装置は外を向いている一方の又は両方の表面（上表面１１７及び下表面１１９）が、スクリーン印刷によるなどして、識別及び表示のための会社情報又は芸術的情報をその上に印刷されていてもよいと構想される。また、上述の最小荷重要件が維持される限りにおいてはユーザーの所望の必要性に適応するべく、ＲＦＩＤタグ又は他の類似の方途の様な電子的追跡方法が、装置１００の構造の層の上に、層の下に、又は層間に追加されてもよいだろう。
【００３３】
図１２を参照すると、装置１００の或る実施形態が開示されており、それは以上に説明され図１０及び図１１に開示されている実施形態と同様であるが、但し、強度増加材料２００は材料の単一片であり、接続点１０２は貫通形成されリベットで補強された開口部を有している。また、第１層１１０と第２層１１２の間に配置されている強度増加材料２００の部分も第１及び第２層の１１０の形状に似せて構成されていてもよい。この場合、第１層１１０は強度増加材料２００の一方の面へ接着剤によって接着され、第２層１１２は強度増加材料２００の他方の面へ接着剤によって接着される。
【００３４】
最後に、ケース付き移動体デバイスをユーザーへ、表面へ、又は構造へ物理的に固定する方法が開示されている。方法は、接続点を有する取り外し可能な移動体デバイス接続装置を移動体デバイスケースの内部表面上へ、接続点がケースの開口部を通って延びるように装置をケースの開口部近くに中心合わせしながら設置する段階と、接続点が移動体デバイス及びケースから離れるように延びケースの開口部を通って延びている状態で、取り外し可能な移動体デバイス接続装置がケースの内部と移動体デバイスの背部表面の間に接着剤無しに固定的に構成されるように、移動体デバイスをケースの中へ設置する段階と、固定材料を接続点へ付着させる段階と、を含んでいる。
【００３５】
本発明は以上に特定の実施形態に関して説明されているが、発明はこれらの開示されている実施形態に限定されないものと理解されたい。この発明が属する分野の当業者には発明の多くの修正形態及び他の実施形態が想起されることであり、それらはこの開示と付随の特許請求の範囲の両方によって網羅されるものとし、網羅される。事実、発明の範囲は、この明細書及び添付図面を頼りに当業者によって理解されるところの、付随の特許請求の範囲及びそれらの等価物の適正な解釈及び組み立てによって確定されるべきものとする。
【００３６】
ｉＰｈｏｎｅ（登録商標）という用語は、米国カリフォルニア州クパチーノのアップル社（Ａｐｐｌｅ，Ｉｎｃ．）の合衆国登録商標である。
【００３７】
Ｓａｍｓｕｎｇ（登録商標）、Ｓａｍｓｕｎｇ  Ｇａｌａｘｙ（登録商標）という用語は、大韓民国のサムスン電子（Ｓａｍｓｕｎｇ  Ｅｌｅｃｔｒｏｎｉｃｓ  Ｃｏ．，  Ｌｔｄ）の米国登録商標である。
【００３８】
Ｏｔｔｅｒｂｏｘ（登録商標）という用語は、米国コロラド州フォートコリンズのオッター社（Ｏｔｔｅｒ  Ｐｒｕｄｕｃｔｓ，  ＬＬＣ）の米国登録商標である。
【符号の説明】
【００３９】
９６  ズボンのベルト通し
９７  ユーザー
１００  移動体デバイス接続装置
１０２  接続点又はループ
１１０  第１層
１１２  第２層
１１４  第３層
１１６  第１材料
１１７  上表面
１１８  第２材料
１１９  下表面
１２０、１２２  接合面
１２４  ユーザー接続手段
１２６  ケーブル接続ポート
１３０  システム
１３２  移動体デバイス
１３４  移動体デバイスケース又はハウジング
１３５  ケースの内部表面
１３６  移動体デバイスの背部表面
１３８  ユーザー接続ユニット、ストラップ
１５０  ディボット
２００  強度増加材料
３００  リリーフ要素
３１０  折り曲げ点
【図１】
2019519961.tif 000003
【図２】
2019519961.tif 000004
【図３】
2019519961.tif 000005
【図３ａ】
2019519961.tif 000006
【図４】
2019519961.tif 000007
【図５】
2019519961.tif 000008
【図６】
2019519961.tif 000009
【図７】
2019519961.tif 000010
【図８】
2019519961.tif 000011
【図９】
2019519961.tif 000012
【図１０】
2019519961.tif 000013
【図１１】
2019519961.tif 000014
【図１２】
2019519961.tif 000015
【国際調査報告】
2019519961.tif 000016